(57)【要約】【課題】液晶表示部で表示される画像の切り替え時に、切り替え前の画像が残像として残ることを抑制できると共に、表示される画像にノイズが入ることを抑制できる画像再生制御装置、画像再生制御方法及び画像再生制御プログラムを提供する。【解決手段】画像再生制御装置の制御部は、液晶ディスプレイに表示させる画像を動画以外の画像から動画に切り替える場合（ステップＳ１２が否定判定であって、ステップＳ１３が肯定判定）、液晶ディスプレイに供給する画像信号のフレーム周波数を、動画以外の画像用の周波数から動画用の周波数に変更する（ステップＳ１５）。また、制御部は、液晶ディスプレイに表示させる画像を動画から動画以外の画像に切り替える場合（ステップＳ１２，Ｓ１６が共に肯定判定）、液晶ディスプレイに供給する画像信号のフレーム周波数を、動画用の周波数から動画以外の画像用の周波数に変更する（ステップＳ１８）。【選択図】図３
2010187192.tif 000002
【特許請求の範囲】
【請求項１】
画像ファイルに応じた画像信号を生成し、動画及び動画以外の画像を表示可能な液晶表示部に前記画像信号を供給することにより、前記画像ファイルを再生する画像再生制御装置であって、
再生する画像ファイルを切り替える際に、動画用の第１画像ファイルから動画以外の画像用の第２画像ファイルへの切り替え又は前記第２画像ファイルから前記第１画像ファイルへの切り替えであるか否かを判定する画像切替判定手段と、
該画像切替判定手段によって前記第１画像ファイルから前記第２画像ファイルへの切り替え又は前記第２画像ファイルから前記第１画像ファイルへの切り替えであると判定される場合、切り替え後の画像ファイルに応じた画像信号のフレーム周波数を、切り替え前の画像ファイルに応じた画像信号のフレーム周波数とは異なる周波数に変更する切替時周波数変更手段と、
該切替時周波数変更手段によるフレーム周波数の変更後、前記切り替え後の画像ファイルに応じた画像信号を前記液晶表示部に供給する画像信号供給手段と、を備えることを特徴とする画像再生制御装置。
【請求項２】
前記画像信号供給手段は、前記第１画像ファイルから前記第２画像ファイルへの切り替え又は前記第２画像ファイルから前記第１画像ファイルへの切り替えであると判定される場合、切り替え前の画像ファイルに応じた画像信号の供給を停止し、前記液晶表示部での画像の表示を中止させた後、切り替え後の画像ファイルに応じた画像信号を前記液晶表示部に供給することを特徴とする請求項１に記載の画像再生制御装置。
【請求項３】
前記第２画像ファイルに基づく画像のコントラストの大きさを取得するコントラスト取得手段と、
前記第２画像ファイルに応じた画像信号を前記液晶表示部に供給する場合、前記コントラスト取得手段によって取得されたコントラストが大きいほど、前記第２画像ファイルに応じた画像信号のフレーム周波数を高周波に設定するコントラスト対応周波数設定手段と、をさらに備えることを特徴とする請求項１又は請求項２に記載の画像再生制御装置。
【請求項４】
前記第１画像ファイルに応じた画像信号のフレーム周波数を、前記第１画像ファイルが非圧縮ファイルであるときには前記第１画像ファイルが圧縮ファイルである場合に比して高周波に設定する動画時周波数設定手段をさらに備えることを特徴とする請求項１〜請求項３のうち何れか一項に記載の画像再生制御装置。
【請求項５】
前記第１画像ファイルに応じた画像信号のフレーム周波数を、前記第１画像ファイルのビットレートが高いほど低周波に設定するビットレート対応周波数設定手段をさらに備えることを特徴とする請求項１〜請求項４のうち何れか一項に記載の画像再生制御装置。
【請求項６】
前記切替時周波数変更手段は、前記第１画像ファイルに応じた画像信号のフレーム周波数を、前記第２画像ファイルに応じた画像信号のフレーム周波数よりも低周波に変更することを特徴とする請求項１〜請求項５のうち何れか一項に記載の画像再生制御装置。
【請求項７】
画像ファイルに応じた画像信号を生成させ、動画及び動画以外の画像を表示可能な液晶表示部に前記画像信号を供給させることにより、前記画像ファイルを再生させる画像再生制御方法であって、
再生させる画像ファイルを切り替える際に、動画用の第１画像ファイルから動画以外の画像用の第２画像ファイルへの切り替え又は前記第２画像ファイルから前記第１画像ファイルへの切り替えであるか否かを判定させる画像切替判定ステップと、
該画像切替判定ステップで前記第１画像ファイルから前記第２画像ファイルへの切り替え又は前記第２画像ファイルから前記第１画像ファイルへの切り替えであると判定した場合、切り替え後用の画像ファイルに応じた画像信号のフレーム周波数を、切り替え前用の画像ファイルに応じた画像信号のフレーム周波数とは異なる周波数に変更させる切替時周波数変更ステップと、
該切替時周波数変更ステップの実行後、前記切り替え後用の画像ファイルに応じた画像信号を前記液晶表示部に供給させる画像信号供給ステップと、を有することを特徴とする画像再生制御方法。
【請求項８】
画像ファイルに応じた画像信号を生成し、動画及び動画以外の画像を表示可能な液晶表示部に前記画像信号を供給することにより、前記画像ファイルを再生するコントローラーが実行する画像再生制御プログラムであって、
前記コントローラーに、
再生する画像ファイルを切り替える際に、動画用の第１画像ファイルから動画以外の画像用の第２画像ファイルへの切り替え又は前記第２画像ファイルから前記第１画像ファイルへの切り替えであるか否かを判定させる画像切替判定ステップと、
該画像切替判定ステップで前記第１画像ファイルから前記第２画像ファイルへの切り替え又は前記第２画像ファイルから前記第１画像ファイルへの切り替えであると判定した場合、画像信号のフレーム周波数を設定するための設定値を変更させる切替時設定値変更ステップと、
該切替時設定値変更ステップの実行後、切り替え後用の画像ファイルに応じた画像信号を前記液晶表示部に供給させる画像信号供給ステップと、を実行させることを特徴とする画像再生制御プログラム。
【発明の詳細な説明】
【技術分野】
【０００１】
本発明は、少なくとも画像に関する情報を含む画像ファイルを再生する画像再生制御装置、画像再生制御方法及び画像再生制御プログラムに関する。
【背景技術】
【０００２】
一般に、パーソナルコンピューターや携帯電話などの電子機器において画像を表示させるための表示装置として、フラットパネル型の液晶ディスプレイ（ＬＣＤ）を有する液晶表示装置が知られている。こうした液晶表示装置では、所定のフレーム周波数（例えば６０Ｈｚ（ヘルツ））を有する画像信号が画像再生表示装置から液晶ディスプレイに供給されることにより、該画像信号に応じた画像が液晶ディスプレイに表示される（特許文献１，２，３参照）。
【０００３】
ところで、液晶ディスプレイでは、動画以外の画像の一例である静止画像（「第１画像」という。）を表示させた後、第１画像とは異なる他の画像（「第２画像」という。）を表示させることがある。このとき、第１画像の表示時間が長時間（例えば「３０分」）であると、第２画像が表示される液晶ディスプレイには、第２画像と重なって第１画像が残像（「焼きつき」ともいう。）として残ることがあった。この残像は、第１画像の表示中に液晶ディスプレイに蓄えられた電荷を、第１画像から第２画像に切り替える際に放電しきれないために発生するものである。こうした残像の発生を抑制可能な方法としては、フレーム周波数を高周波にする方法がある。
【０００４】
このように、液晶ディスプレイに供給される画像信号のフレーム周波数を高周波化すると、フレーム周波数が低周波であった場合に比して、第１画像が表示される液晶ディスプレイから電荷を放電させる回数が多くなる。そのため、液晶ディスプレイで表示される画像を第１画像から第２画像に切り替える際には、第１画像の表示中に蓄えられた電荷をほとんど放電してから第２画像用の画像信号が供給される。その結果、第２画像が表示される液晶ディスプレイに第１画像が残像として残ることが抑制される。すなわち、第１画像に基づく残像を液晶表示装置のユーザーが視認しにくくなる。
【先行技術文献】
【特許文献】
【０００５】
【特許文献１】特開２００３−３１５７６５号公報
【特許文献２】特開２００２−１７５０６３号公報
【特許文献３】特開２００４−２３３９４９号公報
【発明の概要】
【発明が解決しようとする課題】
【０００６】
ところで、メモリーカードなどの記憶装置内に記憶された圧縮動画ファイル（画像ファイル）を再生させる場合、画像再生制御装置内のデコード処理部（例えばＤＳＰ（Digital Signal Processor））は、記憶装置から圧縮動画ファイルを読み出してデコード（decode）処理を行う。また、デコード処理部からは、デコード処理済みの画像データがバスを介して画像再生制御装置内蔵のＲＡＭに転送される。その後、ＲＡＭに一時記憶された各画像データは、フレーム周波数に応じた周期毎に順番に読み出され、液晶ディスプレイに出力される。その結果、液晶ディスプレイでは、圧縮動画ファイルに応じた動画が表示される。
【０００７】
ところが、フレーム周波数が高周波になると、デコード処理部での処理量が増大すると共に、バスを介した画像データの転送量が増大する。その結果、デコード処理が間に合わなかったり、ＲＡＭからの画像データの読み出しが間に合わなかったりすることがある。したがって、フレーム周波数の高周波化に伴う画像再生制御装置の内部処理量の増大に伴い、動画が表示される液晶表示装置に、ノイズが入るおそれがあった。
【０００８】
本発明は、このような事情に鑑みてなされたものであり、その目的は、液晶表示部で表示される画像の切り替え時に、切り替え前の画像が残像として残ることを抑制できると共に、表示される画像にノイズが入ることを抑制できる画像再生制御装置、画像再生制御方法及び画像再生制御プログラムを提供することにある。
【課題を解決するための手段】
【０００９】
上記目的を達成するために、本発明の画像再生制御装置は、画像ファイルに応じた画像信号を生成し、動画及び動画以外の画像を表示可能な液晶表示部に前記画像信号を供給することにより、前記画像ファイルを再生する画像再生制御装置であって、再生する画像ファイルを切り替える際に、動画用の第１画像ファイルから動画以外の画像用の第２画像ファイルへの切り替え又は前記第２画像ファイルから前記第１画像ファイルへの切り替えであるか否かを判定する画像切替判定手段と、該画像切替判定手段によって前記第１画像ファイルから前記第２画像ファイルへの切り替え又は前記第２画像ファイルから前記第１画像ファイルへの切り替えであると判定される場合、切り替え後の画像ファイルに応じた画像信号のフレーム周波数を、切り替え前の画像ファイルに応じた画像信号のフレーム周波数とは異なる周波数に変更する切替時周波数変更手段と、該切替時周波数変更手段によるフレーム周波数の変更後、前記切り替え後の画像ファイルに応じた画像信号を前記液晶表示部に供給する画像信号供給手段と、を備える。
【００１０】
上記構成によれば、液晶表示部に表示される画像が動画から動画以外の画像に切り替る場合、又は、動画以外の画像から動画に切り替る場合、画像再生制御装置から液晶表示部に供給される画像信号のフレーム周波数が変更される。すなわち、動画用の第１画像ファイルに応じた画像信号は、動画を液晶表示部に表示させるために適切なフレーム周波数を有する。また、動画以外の画像用の第２画像ファイルに応じた画像信号は、動画以外の画像を液晶表示部に表示させるために適切なフレーム周波数を有する。そのため、液晶表示部で表示される画像を切り替える際に、切り替え前の画像が残像として残ることが抑制される。また、画像再生制御装置の液晶表示に関わる内部処理量は、フレーム周波数に応じた処理量となる。そのため、画像ファイルの種類（即ち、第１画像ファイルであるか第２画像ファイルであるか）に応じたフレーム周波数が設定されることにより、画像再生制御装置の液晶表示に関わる内部処理量が液晶表示部に表示させる画像の種類に応じた適切な処理量となるため、液晶表示部で表示される画像にノイズが入ることが抑制される。したがって、液晶表示部で表示される画像の切り替え時に、切り替え前の画像が残像として残ることを抑制できると共に、表示される画像にノイズが入ることを抑制できる。
【００１１】
本発明の画像再生制御装置において、前記画像信号供給手段は、前記第１画像ファイルから前記第２画像ファイルへの切り替え又は前記第２画像ファイルから前記第１画像ファイルへの切り替えであると判定される場合、切り替え前の画像ファイルに応じた画像信号の供給を停止し、前記液晶表示部での画像の表示を中止させた後、切り替え後の画像ファイルに応じた画像信号を前記液晶表示部に供給する。
【００１２】
上記構成によれば、液晶表示部に表示される画像が動画から動画以外の画像に切り替る場合、又は、動画以外の画像から動画に切り替る場合、液晶表示部への画像信号の供給が一時停止され、液晶表示部から画像が一時的に消える。その後、切り替え後の画像を表示させるために必要な画像信号が液晶表示部に供給される。そのため、液晶表示部に供給される画像信号のフレーム周波数の変更を伴う画像の切り替え時に、ユーザーに不快感を与えるような乱れた画像が液晶表示部に一時的に表示されることが抑制される。
【００１３】
本発明の画像再生制御装置は、前記第２画像ファイルに基づく画像のコントラストの大きさを取得するコントラスト取得手段と、前記第２画像ファイルに応じた画像信号を前記液晶表示部に供給する場合、前記コントラスト取得手段によって取得されたコントラストが大きいほど、前記第２画像ファイルに応じた画像信号のフレーム周波数を高周波に設定するコントラスト対応周波数設定手段と、をさらに備える。
【００１４】
一般に、コントラストの大きな画像が長時間表示された後に、液晶表示部で表示される画像を切り替えた際には、切り替え前の画像が残像として残りやすい傾向がある。そこで、本発明では、第２画像ファイルに応じた画像信号のフレーム周波数は、第２画像ファイルに基づく画像のコントラストの大きさに対応した周波数に設定される。そのため、コントラストの大きな動画以外の画像が表示された後に、他の画像を表示させる際に、切り替え前の画像が残像として残ることが好適に抑制される。また、コントラストが比較的小さい画像を液晶表示部に表示させる際には、画像再生制御装置の液晶表示に関わる内部処理量の増大が抑制される。
【００１５】
本発明の画像再生制御装置は、前記第１画像ファイルに応じた画像信号のフレーム周波数を、前記第１画像ファイルが非圧縮ファイルであるときには前記第１画像ファイルが圧縮ファイルである場合に比して高周波に設定する動画時周波数設定手段をさらに備える。
【００１６】
一般に、第１画像ファイルが圧縮ファイルである場合には、第１画像ファイルをデコード処理する必要がある一方、第１画像ファイルが非圧縮ファイルである場合には、第１画像ファイルをデコード処理する必要がない。すなわち、非圧縮ファイルを再生させる場合の画像再生制御装置の内部処理量は、圧縮ファイルを再生させる場合に比して少ない。そこで、本発明では、非圧縮ファイルを再生させる際の画像信号のフレーム周波数を、圧縮ファイルを再生させる際の画像信号のフレーム周波数よりも高周波に設定する。そのため、非圧縮ファイルを再生させる際には、フレーム周波数が高周波であっても画像再生制御装置の内部処理量が余り多くないことから、液晶表示部の画面にノイズが入ることが抑制される。また、圧縮ファイルを再生させる際には、フレーム周波数が低周波に設定されるため、画像再生制御装置の内部処理が確実に実行される状態で画像信号が液晶表示部に供給される。そのため、動画を液晶表示部で表示させる際に、液晶表示部の画面にノイズが入ることが抑制される。
【００１７】
本発明の画像再生制御装置は、前記第１画像ファイルに応じた画像信号のフレーム周波数を、前記第１画像ファイルのビットレート（Bit Rate）が高いほど低周波に設定するビットレート対応周波数設定手段をさらに備える。
【００１８】
一般に、画像ファイルのビットレートが高いほど、画像再生制御装置内部処理量が多くなる傾向がある。そこで、本発明では、第１画像ファイルを再生させる場合、画像信号のフレーム周波数は、第１画像ファイルのビットレートが高いほど低周波に設定される。そのため、第１画像ファイルのビットレートが高くても、画像再生制御装置の内部処理が確実に実行される状態で画像信号が液晶表示部に供給される。そのため、動画を液晶表示部で表示させる際に、液晶表示部の画面にノイズが入ることが抑制される。
【００１９】
本発明の画像再生制御装置において、前記切替時周波数変更手段は、前記第１画像ファイルに応じた画像信号のフレーム周波数を、前記第２画像ファイルに応じた画像信号のフレーム周波数よりも低周波に変更する。
【００２０】
上記構成によれば、第２画像ファイルを再生させる場合よりも画像再生制御装置の内部処理量が多い第１画像ファイルを再生させる場合、画像信号のフレーム周波数は、第２画像ファイルを再生させる場合に比して低周波に設定される。そのため、第１画像ファイルの再生時に、液晶表示部に表示される動画にノイズが入ることが抑制される。また、第２画像ファイルを再生させる場合、画像信号のフレーム周波数は、第１画像ファイルを再生させる場合に比して高周波に設定される。そのため、第２画像ファイルに基づく画像（動画以外の画像）が液晶表示部に長時間表示された後に、他の画像が表示される場合に、切り替え前の画像が残像として液晶表示部に残ることが抑制される。
【００２１】
本発明の画像再生制御方法は、画像ファイルに応じた画像信号を生成させ、動画及び動画以外の画像を表示可能な液晶表示部に前記画像信号を供給させることにより、前記画像ファイルを再生させる画像再生制御方法であって、再生させる画像ファイルを切り替える際に、動画用の第１画像ファイルから動画以外の画像用の第２画像ファイルへの切り替え又は前記第２画像ファイルから前記第１画像ファイルへの切り替えであるか否かを判定させる画像切替判定ステップと、該画像切替判定ステップで前記第１画像ファイルから前記第２画像ファイルへの切り替え又は前記第２画像ファイルから前記第１画像ファイルへの切り替えであると判定した場合、切り替え後用の画像ファイルに応じた画像信号のフレーム周波数を、切り替え前用の画像ファイルに応じた画像信号のフレーム周波数とは異なる周波数に変更させる切替時周波数変更ステップと、該切替時周波数変更ステップの実行後、前記切り替え後用の画像ファイルに応じた画像信号を前記液晶表示部に供給させる画像信号供給ステップと、を有する。
【００２２】
上記構成によれば、液晶表示装置に表示される画像が動画から動画以外の画像に切り替る場合、又は、動画以外の画像から動画に切り替る場合、液晶表示部に供給する画像信号のフレーム周波数が変更される。すなわち、動画用の第１画像ファイルに応じた画像信号は、動画を液晶表示部に表示させるために適切なフレーム周波数を有する。また、動画以外の画像用の第２画像ファイルに応じた画像信号は、動画以外の画像を液晶表示部に表示させるために適切なフレーム周波数を有する。そのため、液晶表示部で表示する画像を切り替える際に、切り替え前の画像が残像として残ることが抑制される。また、画像ファイルから画像信号を生成し、該画像信号を液晶表示部に供給する制御装置内での内部処理量は、画像ファイルの種類（即ち、第１画像ファイルであるか第２画像ファイルであるか）に応じた適切な処理量となるため、液晶表示部で表示される画像にノイズが入ることが抑制される。したがって、液晶表示部で表示する画像の切り替え時に、切り替え前の画像が残像として残ることを抑制できると共に、表示される画像にノイズが入ることを抑制できる。
【００２３】
本発明の画像再生制御プログラムは、画像ファイルに応じた画像信号を生成し、動画及び動画以外の画像を表示可能な液晶表示部に前記画像信号を供給することにより、前記画像ファイルを再生するコントローラーが実行する画像再生制御プログラムであって、前記コントローラーに、再生する画像ファイルを切り替える際に、動画用の第１画像ファイルから動画以外の画像用の第２画像ファイルへの切り替え又は前記第２画像ファイルから前記第１画像ファイルへの切り替えであるか否かを判定させる画像切替判定ステップと、該画像切替判定ステップで前記第１画像ファイルから前記第２画像ファイルへの切り替え又は前記第２画像ファイルから前記第１画像ファイルへの切り替えであると判定した場合、画像信号のフレーム周波数を設定するための設定値を変更させる切替時設定値変更ステップと、該切替時設定値変更ステップの実行後、切り替え後用の画像ファイルに応じた画像信号を前記液晶表示部に供給させる画像信号供給ステップと、を実行させる。
【００２４】
上記構成によれば、液晶表示部に表示される画像が動画から動画以外の画像に切り替る場合、又は、動画以外の画像から動画に切り替る場合、コントローラーから液晶表示部に供給される画像信号のフレーム周波数が変更される。すなわち、動画用の第１画像ファイルに応じた画像信号は、動画を液晶表示部に表示させるために適切なフレーム周波数を有する。また、動画以外の画像用の第２画像ファイルに応じた画像信号は、動画以外の画像を液晶表示部に表示させるために適切なフレーム周波数を有する。そのため、液晶表示部で表示する画像を切り替える際に、切り替え前の画像が残像として残ることが抑制される。また、コントローラーの内部処理量は、画像ファイルの種類（即ち、第１画像ファイルであるか第２画像ファイルであるか）に応じた適切な処理量となるため、液晶表示部で表示される画像にノイズが入ることが抑制される。したがって、液晶表示部で表示する画像の切り替え時に、切り替え前の画像が残像として残ることを抑制できると共に、表示される画像にノイズが入ることを抑制できる。
【図面の簡単な説明】
【００２５】
【図１】第１の実施形態における液晶表示装置のブロック図。
【図２】メインＣＰＵのブロック図。
【図３】第１の実施形態の画像再生制御処理ルーチンを説明するフローチャート。
【図４】第２の実施形態の画像再生制御処理ルーチンの一部を説明するフローチャート。
【図５】第３の実施形態の画像再生制御処理ルーチンの一部を説明するフローチャート。
【発明を実施するための形態】
【００２６】
（第１の実施形態）
以下、本発明を具体化した一実施形態を図１〜図３に基づいて説明する。
図１に示すように、本実施形態の液晶表示装置１１は、液晶表示部としての液晶ディスプレイ（「ＬＣＤ」ともいう。）１２と、該液晶ディスプレイ１２での表示態様を制御する画像再生制御装置１３とを備えている。液晶ディスプレイ１２では、画像再生制御装置１３によって選択された画像ファイルに応じた画像信号が供給されることにより、該画像信号に応じた画像が表示される。
【００２７】
画像再生制御装置１３は、液晶ディスプレイ１２の表示態様を制御するコントローラーとしてのメインＣＰＵ１４と、該メインＣＰＵ１４と電気的に接続されるサブＣＰＵ１５、ＲＯＭ１６及びＲＡＭ１７とを備えている。また、画像再生制御装置１３は、メインＣＰＵ１４と電気的に接続されるブリッジチップ１８と、該ブリッジチップ１８と電気的に接続される変換チップ１９と、該変換チップ１９と電気的に接続されるハードディスク（ＨＤＤ）２０とを備えている。さらに、画像再生制御装置１３には、メインＣＰＵ１４と電気的に接続されるプログラマブルロジックデバイス（ＦＰＧＡ）２１と、メインＣＰＵ１４と電気的に接続される色補正ＩＣ（Integrated Circuit）２２とが設けられている。
【００２８】
サブＣＰＵ１５は、ユーザーによって操作される入力部２３と電気的に接続されており、ユーザーによる入力部２３の操作態様に応じた処理を行なう。例えば、サブＣＰＵ１５は、再生させる画像ファイルを切り替える旨の入力信号が入力部２３から入力された場合、その旨を示す信号をメインＣＰＵ１４に出力する。
【００２９】
ＲＯＭ１６には、メインＣＰＵ１４によって実行される各種制御処理（後述する画像再生制御処理など）、及び予め設定された表示画面（電源立ち上げ時に表示させる画面など）等が予め記憶されている。こうした各制御処理は、メインＣＰＵ１４によって適宜読み出されて実行される。ＲＡＭ１７には、液晶表示装置１１の図示しない電源がオンである間に適宜書き換えられる各種情報（例えば、再生中の画像ファイルに関する画像データ）が一時記憶される。
【００３０】
ブリッジチップ１８は、ＲＯＭ１６及びプログラマブルロジックデバイス２１と電気的に接続されると共に、ＵＳＢ（Universal Serial Bus）ポート２４と電気的に接続されている。ＵＳＢポート２４に図示しない外部装置（例えば、電子カメラやパーソナルコンピューター）が電気的に接続され、外部装置の図示しない記憶部に記憶された画像ファイルを再生させる場合、外部装置側から読み出された画像ファイルは、ブリッジチップ１８を介してメインＣＰＵ１４に転送される。また、プリンタなどの記録装置が外部装置としてＵＳＢポート２４に接続され、後述するハードディスク２０に記憶される画像ファイルに基づく画像（この場合、静止画）を印刷させる場合、ハードディスク２０からは、ブリッジチップ１８を介して画像ファイルが外部装置側に転送される。さらに、ＵＳＢポート２４と電気的に接続された外部装置とハードディスク２０との間で画像ファイルなどの各種ファイルをコピーや移動させる場合、当該ファイルは、メインＣＰＵ１４を介することなくブリッジチップ１８を介して送受信される。
【００３１】
変換チップ１９は、画像ファイルなどの各種ファイルの転送方式を変換するためのチップである。
ハードディスク２０には、画像ファイルが適宜記憶される。画像ファイルは、動画を液晶ディスプレイ１２に表示させるための画像ファイルと、動画以外の画像を表示させるための画像ファイルに分類される。なお、本実施形態では、動画用の画像ファイルの種類を「第１画像ファイル」というと共に、動画以外の画像用の画像ファイルの種類を「第２画像ファイル」という。また、第１画像ファイルに分類される画像ファイルは、多数の画像データが圧縮されてなる圧縮ファイルと、多数の画像ファイルが圧縮されていない非圧縮ファイルとに更に分類される。また、第２画像ファイルに分類される画像ファイルは、少なくとも一つの画像データから構成されている。ちなみに、第１画像ファイルの規格としては、「ＭＰＥＧ４」、「ＭｏｔｉｏｎＪＰＥＧ」及び「Ｈ．２６４」等の規格がある。
【００３２】
プログラマブルロジックデバイス２１は、必要に応じて内部の論理回路を定義又は変更可能なデバイスであって、スロット２５に挿入されたメモリーカード２６と電気的に接続される。本実施形態において、プログラマブルロジックデバイス２１は、メモリーカード２６がスロット２５に挿入されているか否かに関する情報をメインＣＰＵ１４に出力するように構成されている。また、プログラマブルロジックデバイス２１は、スロット２５に挿入されたメモリーカード２６に記憶された画像ファイルを再生させる旨の信号がメインＣＰＵ１４から入力された場合、メモリーカード２６から画像ファイルを読み出してメインＣＰＵ１４側に転送する。
【００３３】
色補正ＩＣ２２は、メインＣＰＵ１４から出力された画像信号の色調を変換し、変換後の画像信号を液晶ディスプレイ１２に供給する。
ここで、本実施形態の液晶ディスプレイ１２では、動画及び動画以外の画像を表示可能である。「動画以外の画像」とは、写真などの静止画だけではなく、画面上での動きが非常に少ない画像の総称である。例えば、動画以外の画像には、例えば音楽ファイルを再生する際に液晶ディスプレイ１２に表示される画像（「音楽用画像」ともいう。）、複数の静止画や資料などを順番に表示させるスライドショーのような画像、外部装置との接続を示す画面、メモリーカード２６からハードディスク２０（若しくはハードディスク２０からメモリーカード２６）への画像ファイルのコピー時に表示される画面、ＲＡＷデータの現像時に表示される画面、及び再生させる画像ファイルを選択させる際に表示される画面などが含まれる。
【００３４】
音楽用画像とは、再生中の曲名、歌手名及び再生開始からの経過時間などを液晶ディスプレイ１２に表示する画像であって、経過時間は随時更新される。こうした経過時間は、スライドショーの実行時に画像の一部として表示される。また、メモリーカード２６からハードディスク２０（若しくはハードディスク２０からメモリーカード２６）への画像ファイルのコピー時に表示される画面、及びＲＡＷデータの現像時に表示される画面には、処理（「タスク」ともいう。）の進行状況を示すプログレスバー（Progress Bar；「プログレスメーター」ともいう。）が表示される。このプログレスバーの表示は、処理の進行状況に応じて変化する。
【００３５】
次に、メインＣＰＵ１４について図２に基づき説明する。
図２に示すように、メインＣＰＵ１４は、マイクロプロセッサーなどから構築され、サブＣＰＵ１５からの入力信号などに基づきメインＣＰＵ１４を統括的に制御する制御部３０と、該制御部３０とバス３１を介して電気的に接続されるデータ転送処理部３２とを備えている。また、メインＣＰＵ１４は、制御部３０及びデータ転送処理部３２と電気的に接続され、且つ音声や画像などの処理に特化したＤＳＰなどから構築されるデコード処理部３３と、制御部３０とバス３１を介して電気的に接続され、且つデータ転送処理部３２からの各種データや各種信号が入力される供給部３４とを備えている。
【００３６】
データ転送処理部３２には、ＲＯＭ１６、ＵＳＢポート２４と電気的に接続された外部装置、ハードディスク２０及びメモリーカード２６から、液晶ディスプレイ１２に表示させる画像の画像ファイルが転送される。そして、転送された画像ファイルが後述するデコード処理を行なう必要がない場合、データ転送処理部３２は、画像ファイルを構成する画像データをＲＡＭ１７に一時記憶させる。また、転送された画像ファイルが後述するデコード処理を行なう必要がある場合、データ転送処理部３２は、画像ファイルをデコード処理部３３に転送する。そして、データ転送処理部３２は、デコード処理部３３にてデコード処理された画像データが順次転送されてくると、該画像データをＲＡＭ１７に一時記憶させる。すなわち、ＲＡＭ１７には、再生する若しくは再生予定の画像ファイルを構成する画像データが記憶される。この状態で、データ転送処理部３２は、後述するフレーム周波数に対応するタイミングで、ＲＡＭ１７に一時記憶された画像データを読み出して供給部３４に転送する。なお、データ転送処理部３２では、転送されてきた画像ファイルの拡張子を識別し、該画像ファイルの種類が第２画像ファイルであるか、圧縮された第１画像ファイルであるか、又は圧縮されていない第１画像ファイルであるかを確認する。
【００３７】
デコード処理部３３は、データ転送処理部３２から転送されてきた画像ファイル（本実施形態では、多数の画像データが圧縮されてなる第１画像ファイル）に対してデコード処理を行なう。すなわち、画像データが解凍される。そして、デコード処理部３３は、デコード処理された画像データをデータ転送処理部３２に順次転送する。この際の画像データの転送レートは、後述する画像信号のフレーム周波数が高いほど高くなる。すなわち、フレーム周波数が高いほど、データ転送処理部３２及びデコード処理部３３での処理量が多くなる。
【００３８】
供給部３４は、制御部３０によって設定される設定値としてのレジスタＲ（図３参照）の数値に基づき、再生させる画像ファイルに応じたフレーム周波数を設定する。このレジスタＲは、メインＣＰＵ１４内の図示しないクロックコントローラーが用いるレジスタである。そして、供給部３４は、図示しないクロックコントローラーが出力するクロック信号を用い、画像データの転送タイミングを図っている。すなわち、供給部３４は、データ転送処理部３２から転送されてくる画像データを、フレーム周波数に応じたタイミングで色補正ＩＣ２２に順次出力する。その結果、液晶ディスプレイ１２には、供給部３４から色補正ＩＣ２２を介して供給される画像信号に応じた画像が表示される。なお、画像信号とは、フレーム周波数に応じたタイミングで画像データが順次転送されるような信号のことを示す。
【００３９】
次に、本実施形態のメインＣＰＵ１４（特に、制御部３０）が実行する各種制御処理ルーチンのうち、画像ファイルを再生させるために実行する画像再生制御処理ルーチン（画像再生制御プログラム）を図３に示すフローチャートに基づき説明する。
【００４０】
さて、制御部３０は、予め設定された所定周期毎（本実施形態では１０msec.（ミリ秒）毎）に画像再生制御処理ルーチンを実行する。この画像再生制御処理ルーチンにおいて、制御部３０は、液晶ディスプレイ１２に表示させる画像を切り替えるか否かを判定する（ステップＳ１０）。例えば、ユーザーによる入力部２３の操作に基づき、再生させる画像ファイルを切り替える場合には、切り替え後に再生させる画像ファイル（「切り替え後の画像ファイル」ともいう。）を特定する制御信号がサブＣＰＵ１５から制御部３０に入力されたか否かで判定される。また、画像再生制御装置１３内における処理（例えば、メモリーカード２６からハードディスク２０への画像ファイルのコピー）の終了によって、再生させる画像ファイルを切り替える場合には、上記処理が完了したか否かによって判定される。
【００４１】
ステップＳ１０の判定結果が否定判定である場合、制御部３０は、再生させる画像ファイルの切り替えを行なわないため、画像再生制御処理ルーチンを一旦終了する。一方、ステップＳ１０の判定結果が肯定判定である場合、制御部３０は、切り替え後の画像ファイルを、該画像ファイルが記憶される記憶部（ＲＯＭ１６、メモリーカード２６及びハードディスク２０など）からデータ転送処理部３２に読み出させる（ステップＳ１１）。続いて、制御部３０は、液晶ディスプレイ１２で表示中の画像（「切り替え前の画像」ともいう。）が動画であるか否かを判定する（ステップＳ１２）。具体的には、制御部３０は、再生中の画像ファイル（「切り替え前の画像ファイル」ともいう。）の拡張子を識別し、切り替え前の画像ファイルの種類が第１画像ファイルであるか否かを判定する。
【００４２】
ステップＳ１２の判定結果が否定判定である場合、制御部３０は、切り替え前の画像ファイルの種類が第２画像ファイルであるため、切り替え後の画像が動画であるか否かを判定する（ステップＳ１３）。すなわち、ステップＳ１２，Ｓ１３では、切り替え前の画像ファイルの種類が第２画像ファイルである場合に、切り替え後の画像ファイルの種類が第１画像ファイルであるか否かが判定される。したがって、本実施形態では、制御部３０が、画像切替判定手段としても機能する。
【００４３】
ステップＳ１３の判定結果が肯定判定である場合、制御部３０は、再生する画像ファイルの種類が第２画像ファイルから第１画像ファイルに切り替るため、切り替え前の画像ファイルに応じた画像信号の供給を一時停止させ、切り替え前の画像ファイルに基づく画像を液晶ディスプレイ１２から消す（ステップＳ１４）。続いて、制御部３０は、画像ファイルに応じた画像信号のフレーム周波数を第１画像ファイル用に低周波（例えば４０Ｈｚ（ヘルツ））に変更する処理を行う（ステップＳ１５）。すなわち、供給部３４は、画像信号のフレーム周波数を設定するためのレジスタＲを有しており、該レジスタＲに記憶される数値が変更されるとフレーム周波数が変更される。そこで、制御部３０は、第１画像ファイル用の数値である第１の値Ｒ１をレジスタＲに記憶させる。この点で、本実施形態では、制御部３０及び供給部３４によって、切替時周波数変更手段が構成される。また、制御部３０及び供給部３４が、切替時設定値変更ステップを実行する。また、ステップＳ１５が、切替時周波数変更ステップとして機能する。その後、制御部３０は、その処理を後述するステップＳ１９に移行する。一方、ステップＳ１３の判定結果が否定判定である場合、制御部３０は、切り替え前の画像ファイル及び切り替え後の画像ファイルの種類が共に第２画像ファイルであるため、フレーム周波数を変更することなく、画像再生制御処理ルーチンを一旦終了する。
【００４４】
すなわち、再生させる画像ファイルの種類を切り替える場合、液晶ディスプレイ１２への画像信号の供給を一時停止させる旨の制御信号が、制御部３０から供給部３４に出力される。すると、供給部３４は、上記制御信号の入力に基づき、切り替え前の画像ファイルに応じた画像信号の液晶ディスプレイ１２側への供給を停止する。その結果、液晶ディスプレイ１２では、画像再生制御装置１３側からの画像信号の供給の停止に伴って切り替え前の画像ファイルに基づく画像が消える。このとき、画像再生制御装置１３内では、フレーム周波数設定用のレジスタＲの数値が、切り替え後の画像ファイルの種類に応じた値に変更される。
【００４５】
その一方で、ステップＳ１２の判定結果が肯定判定である場合、制御部３０は、再生中の画像ファイルの種類が第１画像ファイルであるため、切り替え後の画像が動画でないか否か（即ち、動画以外の画像であるか否か）を判定する（ステップＳ１６）。すなわち、ステップＳ１２，Ｓ１６では、切り替え前の画像ファイルの種類が第１画像ファイルである場合に、切り替え後の画像ファイルの種類が第２画像ファイルであるか否かが判定される。したがって、本実施形態では、ステップＳ１２，Ｓ１３，Ｓ１６が、画像切替判定ステップに相当する。
【００４６】
ステップＳ１６の判定結果が肯定判定である場合、制御部３０は、切り替え前の画像ファイルに応じた画像信号の液晶ディスプレイ１２への供給を一時停止させる旨の制御信号を供給部３４に出力する（ステップＳ１７）。すると、供給部３４は、切り替え前の画像ファイルに応じた画像信号の液晶ディスプレイ１２側への供給を停止する。続いて、制御部３０は、再生する画像ファイルの種類が第１画像ファイルから第２画像ファイルに切り替るため、画像ファイルに応じた画像信号のフレーム周波数を第２画像ファイル用に高周波（例えば６４Ｈｚ）に変更させる（ステップＳ１８）。この場合、制御部３０は、第２画像ファイル用の数値として第２の値Ｒ２を供給部３４のレジスタＲに記憶させる。したがって、本実施形態では、ステップＳ１８もまた、切替時周波数変更ステップに相当する。その後、制御部３０は、その処理を後述するステップＳ１９に移行する。
【００４７】
一方、ステップＳ１６の判定結果が否定判定である場合、制御部３０は、切り替え前の画像ファイル及び切り替え後の画像ファイルの種類が共に第１画像ファイルであるため、フレーム周波数を変更することなく、画像再生制御処理ルーチンを一旦終了する。
【００４８】
ステップＳ１９において、制御部３０は、切り替え後の画像ファイルを構成する画像データをデータ転送処理部３２にＲＡＭ１７から順次読み出させ、該読み出させた画像データを供給部３４に転送させる。この供給部３４は、データ転送処理部３２から転送されてくる画像データを、設定されたフレーム周波数に応じたタイミングで色補正ＩＣ２２に供給する。すなわち、再生させる画像ファイルに応じた画像信号が、色補正ＩＣ２２を介して液晶ディスプレイ１２に供給される。したがって、本実施形態では、供給部３４が、画像信号供給手段として機能する。また、メインＣＰＵ１４を構成する供給部３４が、画像信号供給ステップを実行する。また、ステップＳ１９が、画像信号供給ステップに相当する。その後、制御部３０は、画像再生制御処理ルーチンを一旦終了する。なお、切り替え前の画像ファイルの種類と切り替え後の画像ファイルの種類とが同一である場合、切り替え前の画像ファイルに応じた画像信号に連続して切り替え後の画像ファイルに応じた画像信号が色補正ＩＣ２２を介して液晶ディスプレイ１２に供給される。
【００４９】
こうした画像再生制御処理ルーチンが繰り返し実行されることにより、液晶ディスプレイ１２には、ユーザーによって選択された画像ファイルに基づいた画像が表示される。しかも、動画を表示させる場合には、液晶ディスプレイ１２に供給される画像信号のフレーム周波数が、動画以外の画像を表示させる場合よりも低周波に設定される。そのため、液晶ディスプレイ１２で単位時間あたりに表示されるフレーム数は、動画以外の画像を表示させる場合よりも動画を表示させる場合の方が少なくなる。すなわち、本実施形態では、動画を表示させる際のフレーム周波数を、動画以外の画像を表示させる際のフレーム周波数と同一にする場合に比して、デコード処理部３３におけるデコード処理に応じた負荷、及びデータ転送処理部３２によるＲＡＭ１７からの画像データの読み出しに関する負荷が低減される。その結果、デコード処理が間に合わなかったり、ＲＡＭ１７からの画像データの読み出しが間に合わなかったりすることが解消され、動画が表示される液晶ディスプレイにノイズが入ることが抑制される。
【００５０】
また、動画以外の画像（例えば、静止画）を液晶ディスプレイ１２に表示させる場合のフレーム周波数は、動画を表示させる場合よりも高周波に設定される。そのため、動画以外の画像を液晶ディスプレイ１２に長時間（例えば「３０分」）表示させた後に他の画像を表示させても、他の画像（切り替え後の画像）が表示される液晶ディスプレイ１２には、切り替え前の画像が残像として残ることが抑制される。すなわち、液晶ディスプレイ１２に表示させる画像の種類（本実施形態では、動画又は動画以外の画像）に応じたフレーム周波数に設定された画像信号を液晶ディスプレイ１２に供給することにより、ユーザーに不快感を与えるような画像が液晶ディスプレイ１２に表示されることが抑制される。
【００５１】
なお、画像ファイルのフォーマットによっては、本実施形態の液晶表示装置１１ではサポートされていない場合もある。こうした場合、制御部３０は、液晶ディスプレイ１２に対して、ユーザーによって選択された画像ファイルのフォーマットはサポートしていない（即ち、画像ファイルを再生できない）旨を表示させる。こうした表示を行なわせるための画像信号のフレーム周波数は、動画以外の画像を表示させる際の周波数に設定される。
【００５２】
したがって、本実施形態では、以下に示す効果を得ることができる。
（１）再生させる画像ファイルの種類が変更される場合、画像再生制御装置１３から液晶ディスプレイ１２に供給される画像信号のフレーム周波数が変更される。すなわち、再生させる画像ファイルの種類が第２画像ファイルから第１画像ファイルに切り替えられる場合、フレーム周波数は、動画を液晶ディスプレイ１２に表示させるために適切な周波数に設定される。また、再生させる画像ファイルの種類が第１画像ファイルから第２画像ファイルに切り替えられる場合、フレーム周波数は、動画以外の画像を液晶ディスプレイ１２に表示させるために適切な周波数に設定される。そのため、液晶ディスプレイ１２で表示される画像を切り替える際に、切り替え前の画像が残像として残ることが抑制される。また、メインＣＰＵ１４内での液晶表示に関わる内部処理量は、フレーム周波数に応じた処理量となる。そのため、再生する画像ファイルの種類に応じたフレーム周波数の設定により、メインＣＰＵ１４の内部処理量が液晶ディスプレイ１２に表示させる画像の種類に応じた適切な処理量となる結果、液晶ディスプレイ１２で表示される画像にノイズが入ることが抑制される。したがって、液晶ディスプレイ１２で表示される画像の切り替え時に、切り替え前の画像が残像として残ることを抑制できると共に、表示される画像にノイズが入ることを抑制できる。
【００５３】
（２）もし仮に、再生させる画像ファイルの種類が変更される場合に、切り替え前の画像ファイルに応じた画像信号に連続して切り替え後の画像ファイルに応じた画像信号が液晶ディスプレイ１２に供給されると、画像信号のフレーム周波数の変更に伴い、液晶ディスプレイ１２に乱れた画像が一時的に表示されるおそれがある。具体的には、一時的に、液晶ディスプレイ１２の一部には切り替え前の画像が表示される一方、液晶ディスプレイ１２の残りには切り替え後の画像が表示されるおそれがある。この場合、こうした画像の乱れを視認したユーザーが不快に感じるおそれがある。
【００５４】
その点、本実施形態では、再生させる画像ファイルの種類が変更される場合、液晶ディスプレイ１２への画像信号の供給が一時停止され、液晶ディスプレイ１２から画像が一瞬消える。その後、切り替え後の画像を表示させるために必要な画像信号が液晶ディスプレイ１２に供給される。そのため、液晶ディスプレイ１２に供給される画像信号のフレーム周波数の変更を伴う画像の切り替え時に、ユーザーに不快感を与えるような乱れた画像が一時的に表示されることを抑制できる。
【００５５】
（３）再生させる画像ファイルの種類が第１画像ファイルである場合、当該画像ファイルに応じた画像信号のフレーム周波数は、第２画像ファイルに分類される画像ファイルを再生させる場合に比して低周波に設定される。そのため、メインＣＰＵ１４の内部処理（デコード処理やＲＡＭ１７からの画像データの読み出し）の遅れが抑制される結果、液晶ディスプレイ１２に表示される動画に、メインＣＰＵ１４の内部処理の遅れに起因したノイズが入ることを抑制できる。しかも、液晶ディスプレイ１２に動画が長時間表示された後に、他の画像に切り替えられたとしても、他の画像が表示される液晶ディスプレイ１２に、切り替え前の動画が残像として残る可能性はほとんどない。
【００５６】
（４）また、動画再生時におけるフレーム周波数は、第２画像ファイルに分類される画像ファイルの再生時のフレーム周波数に比して低周波となるため、メインＣＰＵ１４の液晶表示に関わる内部処理量の増大が抑制される。したがって、動画再生時におけるメインＣＰＵ１４内における消費電力の増大を抑制できると共に、メインＣＰＵ１４からの発熱量の低減に貢献できる。
【００５７】
（５）また、再生させる画像ファイルの種類が第２画像ファイルである場合、当該画像ファイルに応じた画像信号のフレーム周波数は、第１画像ファイルに分類される画像ファイルを再生させる場合に比して高周波に設定される。そのため、液晶ディスプレイ１２に動画以外の画像が長時間表示された後に他の画像が表示される場合であっても、液晶ディスプレイ１２の画素毎のコンデンサに蓄電された電荷がほとんど放電された後に、液晶ディスプレイ１２に他の画像を表示させるための画像信号が供給される。したがって、切り替え後の画像が表示される液晶ディスプレイ１２に、切り替え前の画像が残像として残ることを抑制できる。しかも、動画以外の画像を液晶ディスプレイ１２に表示させる場合は、動画を表示させる場合に比してメインＣＰＵ１４の内部処理量が少ない。また、動画用の画像ファイルは圧縮ファイルであることが多く、デコード処理に伴う負荷が非常に多い一方、動画以外用の画像ファイルは非圧縮ファイルであることが多く、デコード処理に伴う負荷が少ない。そのため、フレーム周波数を高周波に設定しても、液晶ディスプレイ１２に表示される動画以外の画像に、メインＣＰＵ１４の内部処理の遅れに起因したノイズが入ることはない。
【００５８】
（第２の実施形態）
次に、本発明の第２の実施形態を図４に従って説明する。なお、第２の実施形態は、画像再生制御処理ルーチンの内容が第１の実施形態と一部異なっている。したがって、以下の説明においては、第１の実施形態と相違する部分について主に説明するものとし、第１の実施形態と同一又は相当する部材構成には同一符号を付して重複説明を省略するものとする。
【００５９】
本実施形態のメインＣＰＵ１４（特に、制御部３０）が実行する画像再生制御処理ルーチン（画像再生制御プログラム）を図４に示すフローチャートに基づき説明する。なお、本実施形態の画像再生制御処理ルーチンでは、上記ステップＳ１６の判定結果が肯定判定である場合、切り替え後の画像のコントラストに応じて、切り替え後の画像を表示させる際のフレーム周波数が設定される。
【００６０】
さて、画像再生制御処理ルーチンにおいて、ステップＳ１６の判定結果が肯定判定である場合、制御部３０は、切り替え後の画像ファイルを再生した場合における切り替え後の画像のコントラストＣｓｔを取得する（ステップＳ３０）。具体的には、制御部３０は、切り替え後の画像において最も暗い部分の輝度と、最も明るい部分の輝度との差を算出し、該算出結果に基づきコントラストＣｓｔを取得する。したがって、本実施形態では、制御部３０が、コントラスト取得手段としても機能する。続いて、制御部３０は、ステップＳ３０にて取得したコントラストＣｓｔが予め設定されたコントラスト閾値ＫＣｓｔを超えたか否かを判定する（ステップＳ３１）。動画以外の画像のうちコントラストＣｓｔの大きな画像を液晶ディスプレイ１２に表示させた場合、液晶ディスプレイ１２に表示する画像を他の画像に切り替えた直後には、切り替え前の画像が残像として残りやすい。そこで、本実施形態では、コントラスト閾値ＫＣｓｔを超えたコントラストＣｓｔを有する画像を、残像として残りやすい画像と設定する。なお、コントラスト閾値ＫＣｓｔは、実験やシミュレーションなどによって予め設定された値である。
【００６１】
ステップＳ３１の判定結果が肯定判定（Ｃｓｔ＞ＫＣｓｔ）である場合、制御部３０は、切り替え後の画像が残像として残りやすい画像であると判断する。すなわち、制御部３０は、切り替え前の画像ファイルに応じた画像信号の液晶ディスプレイ１２への供給を一時停止させる旨の制御信号を供給部３４に出力する（ステップＳ３２）。すると、供給部３４は、切り替え前の画像ファイルに応じた画像信号の液晶ディスプレイ１２側への供給を停止する。続いて、制御部３０は、フレーム周波数設定用のレジスタＲの数値を第２の値Ｒ２に設定する（ステップＳ３３）。そのため、切り替え後の画像を液晶ディスプレイ１２に表示させる際の画像信号のフレーム周波数は、切り替え前の画像（動画）を表示させる際に比して高周波（例えば６４Ｈｚ）に設定される。したがって、本実施形態では、制御部３０が、コントラスト対応周波数設定手段としても機能する。その後、制御部３０は、その処理を上記ステップＳ１９に移行する。
【００６２】
一方、ステップＳ３１の判定結果が否定判定（Ｃｓｔ≦ＫＣｓｔ）である場合、制御部３０は、切り替え後の画像は残像として残りやすい画像ではないと判断する。すなわち、制御部３０は、切り替え前の画像ファイルに応じた画像信号の液晶ディスプレイ１２への供給を一時停止させる旨の制御信号を供給部３４に出力する（ステップＳ３４）。すると、供給部３４は、切り替え前の画像ファイルに応じた画像信号の液晶ディスプレイ１２側への供給を停止する。続いて、制御部３０は、フレーム周波数設定用のレジスタＲの数値を、第２の値Ｒ２とは異なる第３の値Ｒ３に設定する（ステップＳ３５）。この第３の値Ｒ３は、該値（＝Ｒ３）に応じたフレーム周波数が第１の値Ｒ１に応じたフレーム周波数よりも高周波であって且つ第２の値Ｒ２に応じたフレーム周波数よりも低周波となるような値である。その後、制御部３０は、その処理を上記ステップＳ１９に移行する。
【００６３】
したがって、本実施形態では、上記第１の実施形態における効果（１）〜（５）に加え、さらに以下に示す効果を得ることができる。
（６）一般に、コントラストＣｓｔの大きな画像が液晶ディスプレイ１２に長時間表示された後に、液晶ディスプレイ１２で表示される画像を切り替えた際には、切り替え前の画像が残像として残りやすい傾向がある。そこで、本実施形態では、コントラストＣｓｔがコントラスト閾値ＫＣｓｔを超える画像を液晶ディスプレイ１２に表示させる場合、画像信号のフレーム周波数は、コントラストＣｓｔがコントラスト閾値ＫＣｓｔ以下である場合に比して高周波に設定される。そのため、このようなフレーム周波数を有する画像信号に基づく画像（動画以外の画像）を液晶ディスプレイ１２に表示させた後、該画像とは異なる他の画像に表示を切り替えた場合、切り替え前の画像が残像として残ることを抑制できる。
【００６４】
また、コントラストＣｓｔがコントラスト閾値ＫＣｓｔ以下となる画像（動画以外の画像）を長時間表示させても、当該画像から他の画像に切り替えた際に、切り替え前の画像が残像として残る可能性は、切り替え前の画像のコントラストＣｓｔがコントラスト閾値ＫＣｓｔを超える場合に比して低い。そこで、本実施形態では、コントラストＣｓｔがコントラスト閾値ＫＣｓｔ以下となる画像（動画以外の画像）を表示させる場合、画像信号のフレーム周波数は、コントラストＣｓｔがコントラスト閾値ＫＣｓｔを超える場合に比して低周波に設定される。このときのフレーム周波数は、動画を液晶ディスプレイ１２に表示させる場合のフレーム周波数よりは高周波である。そのため、コントラストＣｓｔがコントラスト閾値ＫＣｓｔ以下となる画像（動画以外の画像）を長時間表示させた後に、他の画面に表示を切り替えたとしても、切り替え前の画像が残像として残ることを抑制できる。また、フレーム周波数をコントラストＣｓｔがコントラスト閾値ＫＣｓｔを超える場合に比して低周波に設定するため、メインＣＰＵ１４の液晶表示に関わる内部処理量を低減できると共に、メインＣＰＵ１４からの発熱量の低減に貢献できる。
【００６５】
（第３の実施形態）
次に、本発明の第３の実施形態を図５に従って説明する。なお、第３の実施形態は、画像再生制御処理ルーチンの内容が第１及び第２の各実施形態と一部異なっている。したがって、以下の説明においては、第１及び第２の各実施形態と相違する部分について主に説明するものとし、第１及び第２の各実施形態と同一又は相当する部材構成には同一符号を付して重複説明を省略するものとする。
【００６６】
本実施形態のメインＣＰＵ１４（特に、制御部３０）が実行する画像再生制御処理ルーチン（画像再生制御プログラム）を図５に示すフローチャートに基づき説明する。なお、本実施形態の画像再生制御処理ルーチンでは、上記ステップＳ１３の判定結果が肯定判定である場合、画像ファイルが圧縮ファイルであるか否か及び画像ファイルのビットレート（Bit Rate）に応じて、切り替え後の画像を表示させる際のフレーム周波数が設定される。
【００６７】
さて、画像再生制御処理ルーチンにおいて、ステップＳ１３の判定結果が肯定判定である場合、制御部３０は、切り替え後の画像ファイルが圧縮ファイルであるか否かを判定する（ステップＳ４０）。この判定結果が肯定判定である場合、制御部３０は、切り替え後の画像ファイルが圧縮ファイルであるため、その処理を上記ステップＳ１４，Ｓ１５と同等の処理を順番に行なう（ステップＳ４１，Ｓ４２）。その後、制御部３０は、その処理を上記ステップＳ１９に移行する。
【００６８】
一方、ステップＳ４０の判定結果が否定判定である場合、制御部３０は、切り替え後の画像ファイルが非圧縮ファイルであるため、切り替え後の画像ファイルのビットレートＢＲが予め設定されたビットレート閾値ＫＢＲを超えるか否かを判定する（ステップＳ４３）。切り替え後の画像ファイルのビットレートＢＲが高いほど、画像ファイル再生時におけるメインＣＰＵ１４の内部処理量が多くなる。換言すると、動画であっても画像ファイルのビットレートＢＲが比較的低い場合には、メインＣＰＵ１４の内部処理量が少ない。そこで、本実施形態では、ビットレート閾値ＫＢＲを超えるビットレートＢＲを有する画像ファイルを、ビットレートＢＲの高いファイルという一方、ビットレート閾値ＫＢＲ以下のビットレートＢＲを有する画像ファイルを、ビットレートＢＲの低いファイルという。なお、ビットレート閾値ＫＢＲは、実験やシミュレーションなどによって予め設定された値である。
【００６９】
ステップＳ４３の判定結果が肯定判定（ＢＲ＞ＫＢＲ）である場合、制御部３０は、切り替え前の画像ファイルに応じた画像信号の液晶ディスプレイ１２への供給を一時停止させる旨の制御信号を供給部３４に出力する（ステップＳ４４）。すると、供給部３４は、切り替え前の画像ファイルに応じた画像信号の液晶ディスプレイ１２側への供給を停止する。続いて、制御部３０は、切り替え後の画像ファイルのビットレートＢＲが高いため、フレーム周波数設定用のレジスタＲの数値を、第１の値Ｒ１とは異なる第４の値Ｒ４に設定する（ステップＳ４５）。この場合、切り替え後の画像を液晶ディスプレイ１２に表示させる際の画像信号のフレーム周波数は、画像ファイルが圧縮ファイルである場合に比して、デコード処理を行なう必要がない分、メインＣＰＵ１４の内部処理量が少ないため、高周波（例えば５０Ｈｚ）に設定される。したがって、本実施形態では、制御部３０が、動画時周波数設定手段としても機能する。その後、制御部３０は、その処理を上記ステップＳ１９に移行する。
【００７０】
一方、ステップＳ４３の判定結果が否定判定（ＢＲ≦ＫＢＲ）である場合、制御部３０は、切り替え前の画像ファイルに応じた画像信号の液晶ディスプレイ１２への供給を一時停止させる旨の制御信号を供給部３４に出力する（ステップＳ４６）。すると、供給部３４は、切り替え前の画像ファイルに応じた画像信号の液晶ディスプレイ１２側への供給を停止する。続いて、制御部３０は、切り替え後の画像ファイルのビットレートＢＲが低いため、フレーム周波数設定用のレジスタＲの数値を、第１の値Ｒ１及び第４の値Ｒ４とは異なる第５の値Ｒ５に設定する（ステップＳ４７）。この場合、切り替え後の画像を液晶ディスプレイ１２に表示させる際の画像信号のフレーム周波数は、画像ファイルのビットレートＢＲが高い場合に比して、メインＣＰＵ１４の内部処理量が少ないため、高周波（例えば５５Ｈｚ）に設定される。したがって、本実施形態では、制御部３０が、ビットレート対応周波数設定手段としても機能する。その後、制御部３０は、その処理を上記ステップＳ１９に移行する。
【００７１】
したがって、本実施形態では、上記第１及び第２の各実施形態における効果（１）〜（５）に加え、さらに以下に示す効果を得ることができる。
（７）一般に、切り替え後の画像ファイルが圧縮ファイルである場合には、再生時に画像ファイルをデコード処理する必要がある一方、切り替え後の画像ファイルが非圧縮ファイルである場合には、再生時に画像ファイルをデコード処理する必要がない。すなわち、非圧縮ファイルの画像ファイルを再生させる場合のメインＣＰＵ１４の内部処理量は、圧縮ファイルの画像ファイルを再生させる場合に比して少ない。そこで、本実施形態では、非圧縮ファイルの画像ファイルを再生させる際の画像信号のフレーム周波数は、圧縮ファイルの画像ファイルを再生させる際の画像信号のフレーム周波数よりも高周波に設定される。そのため、非圧縮ファイルの画像ファイルを再生させる際には、フレーム周波数が高周波であってもメインＣＰＵ１４の内部処理量が余り多くないことから、メインＣＰＵ１４の内部処理の遅れに起因したノイズが液晶ディスプレイ１２の画面に入ることを抑制できる。また、液晶ディスプレイ１２で表示される画像が他の画像に切り替えられた場合に、切り替え前の画像が残像として残ることも抑制できる。
【００７２】
また、圧縮ファイルの画像ファイルを再生させる際には、フレーム周波数が低周波に設定されるため、メインＣＰＵ１４の内部処理が確実に実行される状態で画像信号が液晶ディスプレイ１２に供給される。そのため、動画を液晶ディスプレイ１２で表示させる際に、メインＣＰＵ１４の内部処理の遅れの発生が抑制されるため、液晶ディスプレイ１２の画面にノイズが入ることを抑制できる。
【００７３】
（８）一般に、再生させる画像ファイルのビットレートＢＲが高いほど、メインＣＰＵ１４の内部処理量が多くなる傾向がある。そこで、本実施形態では、動画用の画像ファイルを再生させる場合、画像信号のフレーム周波数は、画像ファイルのビットレートＢＲが高い場合には低周波に設定される。そのため、画像ファイルのビットレートＢＲが高くても、メインＣＰＵ１４の内部処理が確実に実行される状態で画像信号が液晶ディスプレイ１２に供給される。そのため、動画を液晶ディスプレイ１２で表示させる際に、液晶ディスプレイ１２の画面にノイズが入ることを抑制できる。
【００７４】
なお、上記各実施形態は以下のような別の実施形態に変更してもよい。
・第３の実施形態において、切り替え後の画像ファイルが圧縮ファイルである場合においても、切り替え後の画像ファイルのビットレートＢＲに応じて、画像信号のフレーム周波数を設定してもよい。
【００７５】
・第３の実施形態において、ステップＳ４２の判定処理を省略してもよい。この場合、切り替え後の画像ファイルが非圧縮ファイルである（即ち、ステップＳ４０が否定判定である）ときには、切り替え後の画像信号のフレーム周波数を、切り替え後の画像ファイルが圧縮ファイルである場合に比して高周波に設定することが望ましい。
【００７６】
・第２の実施形態において、図５のフローチャートに示す各処理をそれぞれ実行してもよい。
・第１の実施形態において、ステップＳ１６の判定結果が否定判定である場合に、図５のフローチャートに示す各処理をそれぞれ実行してもよい。また、ステップＳ１３の判定結果が否定判定である場合に、図４のフローチャートに示す各処理をそれぞれ実行してもよい。
【００７７】
・各実施形態において、再生させる画像ファイルを切り替える場合には、液晶ディスプレイ１２への画像の表示を一時停止させなくてもよい。すなわち、切り替え前の画像ファイルに応じた画像信号（「第１画像信号」ともいう。）に連続して切り替え後の画像ファイルに応じた画像信号（「第２画像信号」ともいう。）を液晶ディスプレイ１２に供給してもよい。ただし、第１画像信号の供給によって液晶ディスプレイ１２の画面全体に第１画像信号に基づく画像が完全に表示された状態で、第２画像信号を供給することが望ましい。
【００７８】
・各実施形態において、画像ファイルは、画像に関する情報だけではなく、音楽や会話などに関する情報も含んだファイルであってもよい。こうした画像ファイルを再生させると、液晶表示装置１１では、画像ファイルに応じた画像が液晶ディスプレイ１２に表示されると共に、画像ファイルに応じた音声が図示しないスピーカーから出力される。
【００７９】
・各実施形態において、再生させる画像ファイルが第２画像ファイルである場合、液晶ディスプレイ１２で画像を認識させるための画像データと該画像データの次の画像データとの間に、別のデータを挿入させるようにしてもよい。
【符号の説明】
【００８０】
１２…液晶表示部としての液晶ディスプレイ、１３…画像再生制御装置、１４…コントローラーとしてのメインＣＰＵ、３０…画像切替判定手段、切替時周波数変更手段、コントラスト取得手段、コントラスト対応周波数設定手段、動画時周波数設定手段、ビットレート対応周波数設定手段としての制御部、３４…切替時周波数変更手段、画像信号供給手段としての供給部、ＢＲ…ビットレート、Ｃｓｔ…コントラスト、Ｒ…設定値としてのレジスタ。
【図１】
2010187192.tif 000003
【図２】
2010187192.tif 000004
【図３】
2010187192.tif 000005
【図４】
2010187192.tif 000006
【図５】
2010187192.tif 000007